(57)【要約】【課題】集積されたゴミ袋に簡単に被せることができ，かつ，その取扱い・保管も容易なゴミ用カバー器具を提供する。【解決手段】ゴミ用カバー器具１は，ドーム状に展開可能なネット状シート２と，ネット状シート２が収束した状態においては，当該ネット状シート２の内側に位置し，ネット状シート２が展開した状態においては，当該ネット状シート２の頂点部分に保持固定される支軸３と，ネット状シート２の周縁部に設けられた錘４と，を備えている。そして，ネット状シート２が収束した状態から支軸３をネット状シート２の略中心部に向けて引くことにより，支軸３がネット状シート２の頂点部分に保持固定されて，ネット状シート２がドーム状に展開した状態に保持され，ネット状シート２が展開した状態から支軸３をネット状シート２の内側に押し込むことにより，ネット状シート２が収束する。【選択図】  図３
0003193174.tif 000002
【実用新案登録請求の範囲】
【請求項１】
ドーム状に展開可能なネット状シートと，
前記ネット状シートが収束した状態においては，前記ネット状シートの内側に位置し，前記ネット状シートが展開した状態においては，前記ネット状シートの頂点部分に保持固定される支軸と，
前記ネット状シートの略中心部に固定された，前記支軸が挿通可能な筒状部材と，
一端が前記筒状部材に回動自在に連結され，他端が前記ネット状シートの周縁部に固定された，前記ネット状シートを支持するための複数の主骨部材と，
一端が前記複数の主骨部材のそれぞれの途中に回動自在に連結され，他端が前記支軸の下端部に回動自在に連結された複数の副骨部材と，
前記ネット状シートの前記周縁部に設けられた錘と，を備え，
前記ネット状シートが収束した状態から前記支軸を前記ネット状シートの前記略中心部に向けて引くことにより，前記支軸が前記ネット状シートの前記頂点部分に保持固定されて，前記ネット状シートがドーム状に展開した状態に保持され，
前記ネット状シートが展開した状態から前記支軸を前記ネット状シートの内側に押し込むことにより，前記ネット状シートが収束することを特徴とするゴミ用カバー器具。
【請求項２】
前記ネット状シートの略中心部を中心とした，当該略中心部から前記周縁部までの距離の３分の１から２分の１の領域に，雨除け部材をさらに備えた，請求項１に記載のゴミ用カバー器具。
【請求項３】
前記副骨部材と当該副骨部材に対応する前記主骨部材の上部とがパンタグラフ状に伸縮可能に連結された，請求項１又は２に記載のゴミ用カバー器具。
【考案の詳細な説明】
【技術分野】
【０００１】
本考案は，ゴミ用カバー器具に関する。さらに詳細には，本考案は，ゴミ袋の集積場所において，集積されたゴミ袋に容易に被せることができ，かつ，その取扱い・保管も容易なゴミ用カバー器具に関する。
【背景技術】
【０００２】
ゴミは，ゴミ袋に入れられ，市町村等が指定する集積場所に所定の時間帯に置かれ，ゴミ回収車によって収集が行われるのが一般的である。
この場合，ゴミ袋が置かれてからゴミ回収車が収集するまでに，ある程度の時間差がある。そして，この時間差により，カラスや猫などが，置かれたゴミ袋を破って餌となる生ゴミを探したり，その生ゴミを食べ散らかしたりすることがしばしば起こってしまう。そのため，ゴミ袋にカラス等がアクセスできないよう，種々の技術が提案されている（特許文献１，２）。
【先行技術文献】
【特許文献】
【０００３】
【特許文献１】特開２００９−１８４７４８号公報
【特許文献２】実用新案登録第３０６１９８８号公報
【考案の概要】
【考案が解決しようとする課題】
【０００４】
特許文献１，２には，鳥等がゴミ袋にアクセスすることを防止する技術が開示されている。これらの技術は，中心部に柱となる軸を有し，この軸から展開されるネットを，ゴミ袋に被せるという意味では，共通する技術である。
しかし，これら従来技術のものは，中心部に柱となる軸を有するため，ゴミ袋が既に集積しているところに簡単に被せることができない。あくまで，これら従来技術の器具を設置した上で，ネットの裾を上げて，そこからゴミ袋を入れるという扱いになってしまう。加えて，これら従来技術のものは，中心部の柱となる軸により，ゴミ袋の置き方や集積量に限界が生じてしまうという課題も有している。
【０００５】
上記事情を背景として，本考案では，ゴミ袋の集積場所において，集積されたゴミ袋に簡単に被せることができ，かつ，その取扱い・保管も容易なゴミ用カバー器具の開発を課題とする。
【課題を解決するための手段】
【０００６】
本考案者は，鋭意研究の結果，逆向きに開く傘のようなネット状器具を着想し，これにより，中心部に柱となる軸を有していなくても，集積されたゴミ袋に容易に被せることができ，かつ，その取扱い・保管も容易なゴミ用カバー器具の考案を完成させるに至った。
【０００７】
本考案に係るゴミ用カバー器具は，以下の構成からなる。
本考案の第一の構成は，ドーム状に展開可能なネット状シートと，前記ネット状シートが収束した状態においては，前記ネット状シートの内側に位置し，前記ネット状シートが展開した状態においては，前記ネット状シートの頂点部分に保持固定される支軸と，前記ネット状シートの略中心部に固定された，前記支軸が挿通可能な筒状部材と，一端が前記筒状部材に回動自在に連結され，他端が前記ネット状シートの周縁部に固定された，前記ネット状シートを支持するための複数の主骨部材と，一端が前記複数の主骨部材のそれぞれの途中に回動自在に連結され，他端が前記支軸の下端部に回動自在に連結された複数の副骨部材と，前記ネット状シートの前記周縁部に設けられた錘と，を備え，前記ネット状シートが収束した状態から前記支軸を前記ネット状シートの前記略中心部に向けて引くことにより，前記支軸が前記ネット状シートの前記頂点部分に保持固定されて，前記ネット状シートがドーム状に展開した状態に保持され，前記ネット状シートが展開した状態から前記支軸を前記ネット状シートの内側に押し込むことにより，前記ネット状シートが収束することを特徴とするゴミ用カバー器具である。
【０００８】
本考案の第一の構成によれば，ネット状シートがドーム状に展開保持された状態において，支軸がネット状シートの頂点部分に退避される（当該ゴミ用カバー器具は，ネット状シートがドーム状に展開保持された状態において，中心部に柱となる軸を有していない）ので，ゴミ袋が既に集積しているところにも簡単に被せることができる。また，ネット状シートの周縁部に錘が設けられているため，集積されたゴミ袋に被せたゴミ用カバー器具を安定させることができると共に，ネット状シートの周縁部からカラスや猫が入ってくることを防止することができる。また，ネット状シートが収束した状態から支軸をネット状シートの略中心部に向けて引くだけで，ネット状シートをドーム状に展開した状態に保持することができ，ネット状シートが展開した状態から支軸をネット状シートの内側に押し込むだけで，ネット状シートを収束させることができるので，取扱いが容易なゴミ用カバー器具を提供することができる。そして，ネット状シートを収束させた状態で容易に保管しておくこともできる。従って，本考案の上記第一の構成によれば，ゴミ袋の集積場所において，集積されたゴミ袋に簡単に被せることができ，かつ，その取扱い・保管も容易なゴミ用カバー器具を提供することができる。
【０００９】
本考案の第二の構成は，前記ネット状シートの略中心部を中心とした，当該略中心部から前記周縁部までの距離の３分の１から２分の１の領域に，雨除け部材をさらに備えた，第一の構成に記載のゴミ用カバー器具である。
【００１０】
本考案の第二の構成によれば，雨の日でも雨がゴミ用カバー器具の中に入ってくることが少なく，集積されたゴミ袋が雨水で濡れてしまうことを防止することができる。
【００１１】
本考案の第三の構成は，前記副骨部材と当該副骨部材に対応する前記主骨部材の上部とがパンタグラフ状に伸縮可能に連結された，第一又は第二の構成に記載のゴミ用カバー器具である。
【００１２】
本考案の第三の構成によれば，ネット状シートをドーム状に展開する際に，副骨部材と当該副骨部材に対応する主骨部材の上部とが略水平方向に伸長するように構成されているので，ネット状シートの上部を，より側方へ拡げることが可能となる。すなわち，ネット状シートの周縁部によって囲まれる面積を広くすることができる。従って，本考案の第三の構成によれば，集積されたゴミ袋の数が多くなっても，当該集積されたゴミ袋に無理なく被せることが可能なゴミ用カバー器具を提供することができる。また，本考案の第三の構成によれば，ゴミ用カバー器具をコンパクトに折り畳むことができるので，狭い空間に保管しておくこともできる。
【考案の効果】
【００１３】
本考案によれば，ゴミ袋の集積場所において，集積されたゴミ袋に簡単に被せることができ，かつ，その取扱い・保管も容易なゴミ用カバー器具を提供することができる。
【図面の簡単な説明】
【００１４】
【図１】本考案の第１の実施の形態におけるゴミ用カバー器具の，ネット状シートがドーム状に展開保持された状態を示す斜視図
【図２】本考案の第１の実施の形態におけるゴミ用カバー器具の，ネット状シートが収束した状態を示す一部破断側面図
【図３】本考案の第１の実施の形態におけるゴミ用カバー器具の使用状態を示す斜視図
【図４】本考案の第２の実施の形態におけるゴミ用カバー器具の，ネット状シートがドーム状に展開保持された状態を示す斜視図
【図５】本考案の第３の実施の形態におけるゴミ用カバー器具の，ネット状シートがドーム状に展開保持された状態を示す一部破断側面図
【図６】本考案の第３の実施の形態におけるゴミ用カバー器具の，ネット状シートが収束した状態を示す一部破断側面図
【考案を実施するための形態】
【００１５】
以下，好適な実施の形態を用いて本考案をさらに具体的に説明する。但し，下記の実施の形態は本考案を具現化した例に過ぎず，本考案はこれに限定されるものではない。
【００１６】
［第１の実施の形態］
（ゴミ用カバー器具の構成）
まず，本考案の第１の実施の形態におけるゴミ用カバー器具の構成について，図１〜図３を参照しながら説明する。
【００１７】
図１は，本考案の第１の実施の形態におけるゴミ用カバー器具の，ネット状シートがドーム状に展開保持された状態を示す斜視図，図２は、当該ゴミ用カバー器具の，ネット状シートが収束した状態を示す一部破断側面図，図３は，当該ゴミ用カバー器具の使用状態を示す斜視図である。
【００１８】
図１，図２に示すように，本実施の形態のゴミ用カバー器具１は，ドーム状に展開可能なネット状シート２と，ネット状シート２が収束した状態においては，ネット状シート２の内側に位置し（図２），ネット状シート２が展開した状態においては，ネット状シート２の頂点部分に保持固定される（図１）支軸３と，ネット状シート２の周縁部に設けられた錘４と，を備えている。そして，ネット状シート２が収束した状態（図２）から支軸３をネット状シート２の略中心部に向けて引くことにより（図２の矢印Ａ参照），支軸３がネット状シート２の頂点部分に保持固定されて，ネット状シート２がドーム状に展開した状態に保持され（図１），ネット状シート２が展開した状態（図１）から支軸３をネット状シート２の内側に押し込むことにより（図１の矢印Ｂ参照），ネット状シート２が収束するようにされている。
ここで，ネット状シート２の周縁部には，布製の縁部材５が連接されており，当該縁部材５の外周に沿って複数の錘４が設けられている。
【００１９】
ネット状シート２がドーム状に展開した状態において，支軸３は，集積されたゴミ袋の邪魔にならない程度にネット状シート２の頂点部分から多少下方に突出していてもよい。
【００２０】
ネット状シート２の材料としては，ポリエチレン，ポリエステルなどを用いることができる。
支軸３の材料としては、軽量で強度の高い繊維強化プラスチック（ＦＲＰ）等を用いることが望ましい。
【００２１】
本実施の形態のゴミ用カバー器具１の構成によれば，ネット状シート２がドーム状に展開保持された状態において，支軸３がネット状シート２の頂点部分に退避される（当該ゴミ用カバー器具１は，ネット状シート２がドーム状に展開保持された状態において，中心部に柱となる軸を有していない）ので，図３に示すように，ゴミ袋６が既に集積しているところにも簡単に被せることができる。また，ネット状シート２の周縁部に錘４が設けられているため，集積されたゴミ袋６に被せたゴミ用カバー器具１を安定させることができると共に，ネット状シート２の周縁部からカラスや猫が入ってくることを防止することができる。また，ネット状シート２が収束した状態から支軸３をネット状シート２の略中心部に向けて引くだけで，ネット状シート２をドーム状に展開した状態に保持することができ，ネット状シート２が展開した状態から支軸３をネット状シート２の内側に押し込むだけで，ネット状シート２を収束させることができるので，取扱いが容易なゴミ用カバー器具１を提供することができる。そして，ネット状シート２を収束させた状態で容易に保管しておくこともできる。従って，本実施の形態のゴミ用カバー器具１の構成によれば、ゴミ袋の集積場所において，集積されたゴミ袋６に容易に被せることができ，かつ，その取扱い・保管も容易なゴミ用カバー器具を提供することができる。
【００２２】
図１，図２に示すように，ゴミ用カバー器具１は，ネット状シート２の略中心部（ネット状シート２がドーム状に展開した状態における当該ネット状シート２の頂点部分）に固定された，支軸３が挿通可能な円筒部材７と，一端が円筒部材７に回動自在に連結され，他端がネット状シート２の周縁部に固定された，ネット状シート２を支持するための複数の主骨部材８と，一端が複数の主骨部材８のそれぞれの途中に回動自在に連結され，他端が支軸３の下端部に回動自在に連結された複数の副骨部材９と，を備えている。
支軸３には，円筒部材７の下端面に当接する当接部３ａが設けられている。また，支軸３が円筒部材７中に存しているとき（ネット状シート２がドーム状に展開した状態にあるとき），当該支軸３は，複数の副骨部材９によって上方に付勢された状態となり，これにより，支軸３をネット状シート２の頂点部分に保持固定することができるようにされている。
【００２３】
かかる構成によれば，ネット状シート２が収束した状態（図２）から支軸３をネット状シート２の略中心部に向けて引くことにより（図２の矢印Ａ参照），副骨部材９を介して主骨部材８を拡げて、ネット状シート２をドーム状に展開することができる（図１）。そして，支軸３をネット状シート２の頂点部分に保持固定させて，ネット状シート２を、ドーム状に展開した状態に保持することができる。また，ネット状シート２がドーム状に展開保持された状態で（図１）支軸３をネット状シート２の内側に押し込むことにより（図１の矢印Ｂ参照），副骨部材９を介して主骨部材８を畳んで，ネット状シート２を収束することができる（図２）。
【００２４】
図１，図２に示すように，ゴミ用カバー器具１は，一端が支軸３の上端部に固定された引き紐１０をさらに備えている。ここで，引き紐１０の他端には，当該引き紐１０を把持しやすくするために摘み１０ａが取り付けられている。
【００２５】
かかる構成によれば，筒状部材７を一方の手で持ち，引き紐１０を他方の手で引っ張ることにより（図２の矢印Ａ参照），副骨部材９を介して主骨部材８を拡げて，ネット状シート２をドーム状に展開することができる。そして、引き紐１０をそのまま引っ張れば，支軸３がネット状シート２の頂点部分に保持固定されて，ネット状シート２を，ドーム状に展開保持された状態に持っていくことができる（図１参照）。
【００２６】
（ゴミ用カバー器具の使用方法）
次に，本考案の第１の実施の形態におけるゴミ用カバー器具の使用方法について説明する。
【００２７】
ゴミ用カバー器具１は、通常、市町村等が指定する集積場所の近くに，ネット状シート２が収束された状態（図２に示す状態）で保管されている。そして、ゴミ用カバー器具１を使用する場合（ゴミ回収日）には、図２に示す状態で、筒状部材７を一方の手で持ち，引き紐１０を他方の手で引っ張ることにより（図２の矢印Ａ参照），副骨部材９を介して主骨部材８を拡げて，ネット状シート２をドーム状に展開する。そして、引き紐１０をそのまま引っ張れば、支軸３がネット状シート２の頂点部分に保持固定されて、ネット状シート２がドーム状に展開した状態で保持される（図１に示す状態）。ネット状シート２をドーム状に展開保持したら、図３に示すように、円筒部材７を手で持って，ゴミ用カバー器具１を，集積されたゴミ袋６の上から被せる。この場合，ゴミ用カバー器具１は，中心部に柱となる軸を有していないので，ゴミ袋６の置き方や集積量に関係なく，集積されたゴミ袋６に容易に被せることができる。また，ネット状シート２の周縁部に錘４が設けられているため，集積されたゴミ袋６に被せたゴミ用カバー器具１を安定させることができると共に，ネット状シート２の周縁部からカラスや猫が入ってくることを防止することができる。
【００２８】
ゴミ回収業者は，集積されたゴミ袋６の上から，ゴミ用カバー器具１を撤去する。そして，筒状部材７を一方の手で持ち，支軸３をネット状シート２の内側に押し込むことにより，副骨部材９を介して主骨部材８を畳んで，ネット状シート２を収束する（図２に示す状態）。ゴミ回収業者は，ネット状シート２を収束したら，ゴミ用カバー器具１を集積場所の近くに保管しておく。
【００２９】
［第２の実施の形態］
次に、本考案の第２の実施の形態におけるゴミ用カバー器具の構成について，図４を参照しながら説明する。尚，本実施の形態のゴミ用カバー器具は，雨除け部材を備えていることのみが上記第１の実施の形態のゴミ用カバー器具と異なるため，上記第１の実施の形態のゴミ用カバー器具と同一の構成要素には同一の参照符号を付し，それらの説明は省略する。
【００３０】
図４は、本考案の第２の実施の形態におけるゴミ用カバー器具の，ネット状シートが展開保持された状態を示す斜視図である。
【００３１】
図４に示すように、本実施の形態のゴミ用カバー器具１１は，ネット状シート２の略中心部（ネット状シート２がドーム状に展開した状態における当該ネット状シート２の頂点部分）を中心とした，当該略中心部から周縁部までの距離の３分の１から２分の１の領域に，雨除け部材１２をさらに備えている。
【００３２】
ネット状シート２がドーム状に展開した状態において，ネット状シート２の略中心部を中心とした，当該略中心部から周縁部までの距離の３分の１から２分の１の領域を超える領域のネット状シート２は，略垂直な状態となっている。
従って，本実施の形態のゴミ用カバー器具１１の構成によれば，雨の日でも雨がゴミ用カバー器具１１の中に入ってくることが少なく，集積されたゴミ袋６（図３参照）が雨水で濡れてしまうことを防止することができる。
【００３３】
雨除け部材１２の素材としては，例えば、エントラント（登録商標），ドライテック（登録商標），ミクロテックス（登録商標），ゴアテックス（登録商標）等を用いることができる。特に、エントラント（登録商標）は，撥水性やその持続性にも優れているため好ましい。
【００３４】
［第３の実施の形態］
次に、本考案の第３の実施の形態におけるゴミ用カバー器具の構成について，図５，図６を参照しながら説明する。尚，本実施の形態のゴミ用カバー器具は，主骨部材と副骨部材の構成のみが上記第１の実施の形態のゴミ用カバー器具と異なるため，上記第１の実施の形態のゴミ用カバー器具と同一の構成要素には同一の参照符号を付し，それらの説明は省略する。
【００３５】
図５は，本考案の第３の実施の形態におけるゴミ用カバー器具の，ネット状シートがドーム状に展開保持された状態を示す一部破断側面図，図６は、当該ゴミ用カバー器具の，ネット状シートが収束した状態を示す一部破断側面図である。
【００３６】
図５，図６に示すように，本実施の形態のゴミ用カバー器具１３は，一端が円筒部材７に回動自在に連結され，他端がネット状シート２の周縁部に固定された，ネット状シート２を支持するための複数の主骨部材１４と，一端が複数の主骨部材１４のそれぞれの途中に回動自在に連結され，他端が支軸３の下端部に回動自在に連結された複数の副骨部材１５と，を備えている。本実施の形態のゴミ用カバー器具１３において，副骨部材１５と当該副骨部材１５に対応する主骨部材１４の上部とはパンタグラフ状に伸縮可能に連結されている（パンタグラフ機構部）。
【００３７】
かかる構成によれば，ネット状シート２が収束した状態（図６）から支軸３をネット状シート２の略中心部に向けて引くことにより（図６の矢印Ｃ１参照），パンタグラフ機構部を略水平方向に伸長させて（図６の矢印Ｃ２，Ｃ３参照）、ネット状シート２をドーム状に展開することができる（図５）。そして，支軸３をネット状シート２の頂点部分に保持固定させて，ネット状シート２をドーム状に展開した状態に保持することができる。
このように，ネット状シート２をドーム状に展開する際に，副骨部材１５と当該副骨部材１５に対応する主骨部材１４の上部とが略水平方向に伸長するように構成されているので，上記第１の実施の形態のゴミ用カバー器具１の場合に比べて，ネット状シート２の上部を，より側方へ拡げることが可能となる。すなわち，ネット状シート２の周縁部によって囲まれる面積を広くすることができる。
従って，本実施の形態のゴミ用カバー器具１３の構成によれば，集積されたゴミ袋６（図３参照）の数が多くなっても，当該集積されたゴミ袋６に無理なく被せることが可能なゴミ用カバー器具を提供することができる。
【００３８】
また，ネット状シート２がドーム状に展開保持された状態で（図５）支軸３をネット状シート２の内側に押し込むことにより（図５の矢印Ｄ１参照），パンタグラフ機構部を略水平方向に折り畳んで（図５の矢印Ｄ２，Ｄ３参照），ネット状シート２を収束することができる（図６）。
本実施の形態のゴミ用カバー器具１３は，副骨部材１５と当該副骨部材１５に対応する主骨部材１４の上部とがパンタグラフ状に伸縮可能に連結されており，コンパクトに折り畳むことができるので，狭い空間に保管しておくこともできる。
【符号の説明】
【００３９】
１，１１，１３  ゴミ用カバー器具
２  ネット状シート
３  支軸
４  錘
５  縁部材
６  ゴミ袋
７  円筒部材
８，１４  主骨部材
９，１５  副骨部材
１０  引き紐
１０ａ  摘み
１２  雨除け部材
【図１】
0003193174.tif 000003
【図２】
0003193174.tif 000004
【図３】
0003193174.tif 000005
【図４】
0003193174.tif 000006
【図５】
0003193174.tif 000007
【図６】
0003193174.tif 000008